(57)【要約】【目的】  本発明の目的は、老人や盲人及び杖を必要とする身障者が夜間においても自動車等の衝突事故から守られるように安全を目的とした歩行用補助杖に関するものである。【構成】（イ）中空軸２の上部にハンドル１を取り付け下端に弾力ゴム３を設ける。（ロ）ハンドル１は図４の如く、内部を空洞にして、乾電池４とインバ−タ−５及び電源のオンオフスイッチボタン６を組み合わせ格納装置して、電源及び電源ケ−スとしても兼用する。（ハ）中空軸２の外周にＥＬ（エレクトロルミネッセンス）膜を巻き付けてＥＬ基盤７を設け、さらにハンドル１の電源からの通電回路８を設けて、ＥＬ基盤７への通電によるＥＬ発光領域を構成する。（ニ）ＥＬ発光領域を構成した中空軸２を透明中空管９内に密閉する。以上の如く構成された、ＥＬ発光標識付き歩行補助杖。（ホ）図３の如く、中空軸２の中に出入りするすべり軸１０、すべり軸１０を所定の長さに固定するストッパ−１１を付帯した請求項１のＥＬ発光標識付き歩行補助杖。【選択図】  図１
2005066290.tif 000002
【特許請求の範囲】
【請求項１】
（イ）中空軸２の上部にハンドル１を取り付け下端に弾力ゴム３を設ける。
（ロ）ハンドル１は図４の如く、内部を空洞にして、乾電池４とインバ−タ−５及び電源のオンオフスイッチボタン６を組み合わせ格納装置して、電源及び電源ケ−スとしても兼用する。
（ハ）中空軸２の外周にＥＬ（エレクトロルミネッセンス）膜を巻き付けてＥＬ基盤７を設け、さらにハンドル１の電源からの通電回路８を設けて、ＥＬ基盤７への通電によるＥＬ発光領域を構成する。
（ニ）ＥＬ発光領域を構成した中空軸２を透明中空管９内に密閉する。
以上の如く構成された、ＥＬ発光標識付き歩行補助杖。
【請求項２】
図３の如く、中空軸２の中に出入りするすべり軸１０、すべり軸１０を所定の定するストッパ−１１を付帯した請求項１のＥＬ発光標識付き歩行補助杖。
【発明の詳細な説明】
【発明の詳細な説明】
【産業上の利用分野】
【０００１】  この発明は、老人や足の不自由な人及び盲人など歩行において補助杖を必要とする人の夜間での歩行において、自動車運転者などに歩行者の存在を明確に知せて、交通事故を防止するために利用するものである。
【背景技術】
【０００２】  従来からの技術による歩行補助杖は、注意標識素材として反射素材を用いたもので、自動車のライトなどの光が直接当たらないと光らない為に、暗闇では存在がわからず、自動車のライトが直接当たった時に突然現れて、運転者が慌ててハンドルを切って避けるなどの危険なケ−スがよくあることで問題とされていた。
【発明が解決しょうとする課題】
【０００３】  本発明は前項のような欠点に対し、
（イ）歩行補助杖が光の照射を受けない暗闇でも、自ら発光して、他から目立つ機能を付与する。
（ロ）より一層注意を引くようにＥＬ基盤７の発光は、断続的に点滅させる機能を付与する。
（ハ）杖となる中空軸２の長さが利用者に使いやすいように、利用者の身長に合わせ調整できる構成とする。
【課題を解決するための手段】
【０００４】（イ）中空軸２に設けた発光領域である、ＥＬ基盤７に通電回路８からハンドル１に設けた、電源のオンオフスイッチボタン６の操作によって、通電して発光させる。
（ロ）ハンドル１内の電源装置には、ＩＣ回路を組み込み点滅発光を可能にする。
（ハ）中空軸２をすべり軸１０とに分割して構成し、ストッパ−１１の回転によって、すべり軸１０の中空軸２内への出し入れによる長さの調整と固定を行う。
【作用】
【０００５】  次に本発明の作用を述べると、以上のような構成であることから、ハンドル１に設けられた電源装置のオンオフスイッチボタン６の操作により、通電回路８に通電することでＥＬ基盤７が発光して、暗闇のなかでも存在が明確に認識される。又、中空軸２とすべり軸１０を併用して構成することで、中空軸２内にすべり軸１０を出し入れして、ストッパ−１１を回転することで、すべり軸１０を締めつけたり、弛めたりすることで利用者の好みの長さに調節することができる。さらに従来の反射光による注意標識とは異なり、自から発光する注意標識を用いた歩行補助杖であり、反射光源となる自動車のヘッドライトなどに照射されなくても、自ら発光して、存在が明確になるため利用者の安全がより高くなる。
【実施例】
【０００６】（イ）中空軸２の上部にハンドル１を取り付けて下端に弾力ゴ厶３を設ける。
（ロ）ハンドル１は図４の如く、内部を空洞にして、乾電池４とインバ−タ−５及び電源のオンオフスイッチボタン６を組み合わせ格納装置して、電源及び電源ケ−スとしても兼用する。
（ハ）中空軸２の外周にＥＬ（エレクトロルミネッセンス）膜を巻き付けてＥＬ基盤７を設け、さらにハンドル１の電源からの通電回路８を設けて、ＥＬ基盤７への通電によるＥＬ発光領域を構成する。
（ニ）ＥＬ発光領域を構成した中空軸２を透明中空管９内に密閉する。
以上の如く構成された、ＥＬ発光標識付き歩行補助杖。
（ホ）図３の如く、中空軸２の中に出入りできる、すべり軸１０、すべり軸１０を所定の長さに固定するストッパ−１１を付帯した請求項１のＥＬ発光標識付き歩行補助杖。
又、本発明の実施に当たっては次のことができる。
（ａ）杖の長さの調節ができない、固定式補助杖の場合は、利用者の身長に合わせて、慣例による下記の数式により算出した使いやすい代表的な寸法を数種類用意して利用者への便宜を図る。数式：身長（ｃｍ）÷２＋３ｃｍ
（ｂ）上記の固定式歩行補助杖の他に図３の如く，中空軸２の中に出し入れできる、すべり軸１０併用タイプでのストッパ−１１による調節で利用者の使いやすい寸法に改善することもできる。
（ｃ）発光領域のＥＬ基盤７は一個所又は複数個所に設けることができる。
（ｄ）中空軸２を透明中空管９内に密閉することでＥＬ基盤７の損傷や水分及び湿度に弱い通電回路８の絶縁不良などのトラブルを防止することができる。
（ｅ）通電回路８は絶縁基盤の上に貼付した電導素材を用いる。
（ｆ）ＥＬ基盤７の発光色は赤、緑、青、黄色など自在に選択することができる。
（ｇ）ハンドル１内の電源は図４に示すところの乾電池挿入口開閉蓋１４を開き単３形の乾電池４を挿入して成る構成から、１．５Ｖ電源を電源入力回路１２からオンオフスイッチボタン６により、インバ−タ−５に入力し、インバ−タ−５からＥＬ基盤７の発光に必要な約６０Ｖ電圧に変更して、電源出力回路１３を経て通電回路８に供給することができる。
（ｈ）ＥＬ基盤７の発光は、ハンドル１に設けられたオンオフスイッチボタン６による、電源のオンオフ操作で自在に点滅できる。
（ｉ）本発明は、歩行補助杖の他にも自動車故障時の路上での注意標識、交通整理標識などの注意標識としても多様に活用できるものである。
【発明の効果】
【０００７】  以上の構成から、白昼は電源を切って通常の歩行用補助杖として用いることができ、夜間においては電源を入れることで、闇夜でも目立つ自発光注意標識付き歩行用補助杖として利用者を交通事故の災害から守る。図３の長さ調節タイプは、すべり軸１０の中空軸２からの出し入れによって、利用者の身長に合わせ使いやすい長さに調節できるので利用者を疲れさせない効果が得られる。
【図面の簡単な説明】
【図１】  本発明の正面図
【図２】  本発明の側面図
【図３】  本発明の他の実施例を示す正面図
【図４】  本発明のハンドル内電源部の透視図
【符号の説明】
１はハンドル
２は中空軸
３は弾力ゴム
４は乾電池
５はインバ−タ−
６はオンオフスイッチボタン
７はＥＬ基盤
８は通電回路
９は透明中空管
１０はすべり軸
１１はストッパ−
１２は電源入力回路
１３は電源出力回路
１４は乾電池挿入口開閉蓋
【図１】
2005066290.tif 000003
【図２】
2005066290.tif 000004
【図３】
2005066290.tif 000005
【図４】
2005066290.tif 000006